(57)【要約】【課題】ユーザ自身が直接電源のオン、オフ操作を行わなくても、ユーザの行動に即して自動的に電子機器の電源のオン、オフを可能とする。【解決手段】電子機器の各種機能を制御するリモコン３とは別に設けられており、一定の信号を発信し続ける携帯可能な発信機４と、電源オフ時でも発信機４からの信号を受信する受信機２２を備えた電子機器であるテレビ装置１とからなり、テレビ装置１の制御部１１は、電源オフ状態において発信機４からの信号を受信機２２で受信したときに電源をオンし、電源オン状態において発信機４からの信号を受信機２２で受信しなくなったときに電源をオフする。【選択図】図１
2007214834.tif 000002
【特許請求の範囲】
【請求項１】
一定の信号を発信し続ける発信機を内蔵した携帯電話機と、電源オフ時でも前記発信機からの信号を受信する受信機を備えたテレビ装置とからなり、
前記携帯電話機は、電話機能の着信時及び発信時には、前記発信機の発信周波数を常時発信時の発信周波数である第１発信周波数から第２発信周波数に変更した後、発信を停止し、電話機能の着信終了時及び発信終了時には、前記発信機の第１発信周波数による常時発信を再開するように構成されるとともに、前記発信機による信号の発信を停止してから、前記第１発信周波数による発信を再開するまでの間、一定時間間隔で前記第２発信周波数の信号を短時間だけ発信する処理を繰り返すように構成されており、
前記テレビ装置は、電源オフ状態において前記発信機からの第１発信周波数の信号を前記受信機で受信したときに電源をオンし、電源オン状態において前記発信機からの第１発信周波数の信号を前記受信機で受信しなくなったときに電源をオフする電源制御手段を備えており、
前記電源制御手段はさらに、前記発信機から第２発信周波数による信号を受信した後、前記発信機からの信号を受信しなくなった場合には、機器の電源オン状態を維持するとともに、一定時間間隔で前記第２発信周波数の信号を受信している場合には、そのまま機器の電源オン状態を維持し、前記第２の発信周波数の信号を一定時間間隔で受信しなくなった場合には機器の電源をオフすることを特徴とするテレビ装置の電源制御システム。
【請求項２】
一定の信号を発信し続ける携帯可能な発信機と、電源オフ時でも前記発信機からの信号を受信する受信機を備えた電子機器とからなり、
前記電子機器は、機器の電源オン状態において前記発信機からの信号を前記受信機で受信しなくなったときに電源をオフする電源制御手段を備えたことを特徴とする電子機器の電源制御システム。
【請求項３】
一定の信号を発信し続ける携帯可能な発信機と、電源オフ時でも前記発信機からの信号を受信する受信機を備えた電子機器とからなり、
前記電子機器は、電源オフ状態において前記発信機からの信号を前記受信機で受信したときに電源をオンし、電源オン状態において前記発信機からの信号を前記受信機で受信しなくなったときに電源をオフする電源制御手段を備えたことを特徴とする電子機器の電源制御システム。
【請求項４】
前記発信機は、電子機器の各種機能を制御するリモコンとは別に設けられていることを特徴とする請求項２または請求項３に記載の電子機器の電源制御システム。
【請求項５】
前記発信機が携帯電話機に内蔵されていることを特徴とする請求項２または請求項３に記載の電子機器の電源制御システム。
【請求項６】
前記発信機の発信周波数は、前記携帯電話機の周波数帯とは異なる周波数帯に設定されていることを特徴とする請求項５に記載の電子機器の電源制御システム。
【請求項７】
前記携帯電話機は、電話機能の着信時及び発信時には、前記発信機の発信周波数を常時発信時の発信周波数である第１発信周波数から第２発信周波数に変更した後、発信を停止し、電話機能の着信終了時及び発信終了時には、前記発信機の第１発信周波数による発信を再開するように構成され、
前記電源制御手段は、前記発信機から第２発信周波数による信号を受信した後、前記発信機からの信号を受信しなくなった場合には、機器の電源オン状態を維持することを特徴とする請求項５または請求項６に記載の電子機器の電源制御システム。
【請求項８】
前記携帯電話機は、前記発信機による信号の発信を停止してから、前記第１発信周波数による発信を再開するまでの間、一定時間間隔で前記第２発信周波数の信号を短時間だけ発信する処理を繰り返し、
前記電源制御手段は、一定時間間隔で前記第２発信周波数の信号を受信している場合には、そのまま機器の電源オン状態を維持し、前記第２の発信周波数の信号を一定時間間隔で受信しなくなった場合には機器の電源をオフすることを特徴とする請求項７に記載の電子機器の電鍵制御システム。
【請求項９】
前記発信機には、一定の信号の発信をオン、オフするオン・オフスイッチが設けられていることを特徴とする請求項１ないし請求項８のいずれかに記載の電子機器の電源制御システム。
【請求項１０】
前記電子機器が、テレビ装置、オーディオ装置、暖房装置、空調機、蛍光灯の少なくとも１つ以上であることを特徴とする請求項２ないし請求項９のいずれかに記載の電子機器の電源制御システム。
【発明の詳細な説明】
【技術分野】
【０００１】
本発明は、一定の信号を発信し続ける発信機と、電源オフ時でも前記発信機からの信号を受信する受信機を備えたテレビ装置等の電子機器とからなる電子機器の電源制御システムに関する。
【背景技術】
【０００２】
テレビ装置を初め、ＤＶＤレコーダ、ＨＤレコーダ、ビデオテープレコーダ、オーディオ装置、空調機、蛍光灯などの最近の電子機器は、当該機器の機能を遠隔制御するためのリモコンを備えており、これら電子機器の電源のオン、オフは、リモコンに設けられている電源ボタンのオン、オフ操作か、当該電子機器の本体に設けられている電源スイッチのオン、オフ操作によって行っていた。
【０００３】
ところで、例えば家に戻ってきたユーザがリビングに入ってテレビをつけようとしたとき、リモコンの所在が分からないため、すぐにテレビをつけることができないといったことは良くあることである。
【０００４】
また、少しの間のつもりでテレビをつけたままリビングから出て行ったものの、その後、長い間リビングに戻らなかった場合には、その間、誰も視聴していないのにテレビがつけっぱなしになってしまうといったことも良くあることである。
【０００５】
また、リモコンに関しては、不測の電源オンを防止するようにした電子機器の動作制御方法が提案されている（例えば、特許文献１参照）。この特許文献１の電子機器では、同一の遠隔操作信号か繰り返し連続入力された場合、自動的に電源を切ることができるようになっている。これにより、電源ボタン以外のボタンが操作された場合にも装置の電源をオンするように構成されたリモコンの上に、例えば本などを置いてしまったため、一つのボタンがオンされ続けた場合に、ユーザの意思に係わらず電源がオンされてしまうことを防止することができる。
【特許文献１】特開平８−２９８６９１号公報
【発明の開示】
【発明が解決しようとする課題】
【０００６】
このように、従来の電子機器では、一般的にリモコンの電源ボタンのオン、オフ操作によって電子機器の電源をオン、オフしている。そのため、上記のようにリモコンの所在がすぐには分からなかった場合には、テレビをすぐにつけることができないといった不便があった。また、すぐに戻るつもりでテレビをつけたままリビングから出て行き、そのまま戻らなかった場合には、テレビかつけっぱなしになり、無駄な電力を消費するといった問題もあった。このような問題は、ユーザの行動に即して自動的に電源をオン、オフできれば解決できる問題である。また、ユーザの行動に即した電源のオン、オフが可能であれば、ユーザの使い勝手も向上することになる。また、上記特許文献１のものでは、リモコンの上に本等を置いてしまうといった不測の事態による機器の電源オンを防止することはできるが、ユーザの行動に即した電源のオン、オフを行うことはできない。
【０００７】
本発明はかかる実情に鑑みて創案されたもので、その目的は、ユーザ自身が直接電源のオン、オフ操作を行わなくても、ユーザの行動に即して自動的に電子機器の電源のオン、オフが可能な電子機器の電源制御システムを提供することにある。
【課題を解決するための手段】
【０００８】
上記課題を解決するため、本発明に係る電子機器の電源制御システムは、一定の信号を発信し続ける携帯可能な発信機と、電源オフ時でも前記発信機からの信号を受信する受信機を備えた電子機器とからなり、前記電子機器は、電源オフ状態において前記発信機からの信号を前記受信機で受信したときに電源をオンし、電源オン状態において前記発信機からの信号を前記受信機で受信しなくなったときに電源をオフする電源制御手段を備えたことを特徴とする。ここで、前記発信機は、電子機器の各種機能を制御するリモコンとは別に設けられている。また、この発信機は、一定の信号を発信するだけの極めて単純な構成であるため、小型化が可能であり、ユーザが、常時身につけていても邪魔になることがない。
【０００９】
すなわち、本発明の発信機をユーザが身につけていることによって、例えば自宅に帰ってきたユーザがリビングに入るだけで、発信機からの一定の信号を例えばテレビ装置に内蔵された受信機が受信して、当該テレビ装置の電源を自動的にオンすることが可能となる。すなわち、ユーザは、リモコンによる電源ボタンの操作や、テレビ装置本体に設けられている電源スイッチの操作を行うことなく、テレビ装置の電源を自動的にオンすることができる。また、リビングでテレビを見ている状態で、用事によりリビングから出て行った場合には、テレビ装置の受信機が発信機からの一定の信号を受信しなくなるため、テレビ装置は電源をオフすることになる。これにより、テレビ装置の消し忘れ等を防止することが可能となり、消費電力の無駄も省くことができる。
【００１０】
また、本発明では、このような発信機を携帯電話機に内蔵させておいてもよい。携帯電話機は、いつ着信があるか分からないため、ユーザは、自宅にいても携帯電話機を常に身近に置いているものである。従って、本発明ではこのような携帯電話機の使用状況に着目し、発信機を携帯電話機に内蔵させている。これにより、発信機を個別に所持する必要がないため、ユーザにとっては使い勝手のよいものとなる。この場合、携帯電話機の送受信時の信号との混信を避けるため、発信機の発信周波数は、携帯電話機の周波数帯とは異なる周波数帯に設定するのがよい。
【００１１】
ただし、現実問題としては、お互いに干渉しない周波数帯に区分することは難しい場合もある。そのため、本発明では、このような場合を考慮し、前記携帯電話機は、電話機能の着信時及び発信時には、前記発信機の発信周波数を常時発信時の発信周波数である第１発信周波数から第２発信周波数に変更した後、発信を停止し、電話機能の着信終了時及び発信終了時には、前記発信機の第１発信周波数による発信を再開するように構成する。これにより、携帯電話機による通話が発信機の発信信号によって干渉し、ノイズとなって通話を妨げることがない。
【００１２】
一方、携帯電話機に内蔵された発信機をこのような構成とした場合、例えばテレビ装置の電源制御手段は、前記発信機から第２発信周波数による信号を受信した後、前記発信機からの信号を受信しなくなった場合には、テレビ装置の電源オン状態を維持するように構成する。つまり、この場合には、携帯電話機での通話等による発信機のオフ状態であり、ユーザはその場所（例えば、テレビ装置の設置されているリビング）に居る可能性が高いので、このような場合にはテレビ装置の電源をオフせず、オン状態のままとする。
【００１３】
また、前記携帯電話機は、前記発信機による信号の発信を停止してから、前記第１発信周波数による発信を再開するまでの間、一定時間間隔で前記第２発信周波数の信号を短時間だけ発信する処理を繰り返すように構成する。一方、テレビ装置の電源制御手段は、一定時間間隔で前記第２発信周波数の信号を受信している場合には、そのまま機器の電源オン状態を維持し、前記第２発信周波数の信号を一定時間間隔で受信しなくなった場合には機器の電源をオフする。すなわち、一定時間間隔で第２発信周波数の信号を受信しなくなったということは、ユーザが携帯電話機を持ったまま（例えば、通話状態のまま）でリビングから出て行った可能性が高い。従って、この場合には、テレビ装置をつけておくことが無駄になるため、電源制御手段はテレビ装置の電源をオフにする。これにより、消費電力の無駄を省くことが可能となる。
【００１４】
なお、前記発信機には、一定の信号の発信をオン、オフするオン・オフスイッチを設けておいてもよい。つまり、ユーザにとっては、この発信機を使わず、リモコン操作により電子機器の電源オン／オフ制御を行いたい場合もあるので、このような場合には、発信機に設けられているオン・オフスイッチを操作して発信機の電源をオフ状態とすればよい。
【００１５】
また、本発明では、１個の発信機によって制御される電子機器は、１個とは限らない。すなわち、制御される電子機器としては、上記で例示したテレビ装置を初め、オーディオ装置、暖房装置、空調機、蛍光灯の少なくとも１つ以上であってもよい。例えば、制御される電子機器をリビングのテレビ装置と蛍光灯の２個とした場合には、自宅に戻ったユーザがリビングに入ると、テレビ装置が自動的にオンするとともに、蛍光灯も自動的にオンして点灯することになる。これは、例えば一人暮らしのユーザにとっては、夜遅く帰宅したような場合に大変便利な使用形態である。また、冬場であれば、暖房装置も制御される電子機器として加えておけばよい。これにより、ユーザが冬場に夜遅く帰宅したような場合には、リビングに入るだけで、蛍光灯が点灯し、暖房装置が動作を開始し、テレビ装置がオンすることになる。
【発明の効果】
【００１６】
本発明によれば、発信機をユーザが身につけていることによって、自宅に帰ってきたユーザが例えばリビングに入るだけで、発信機からの一定の信号をリビングに設置されている電子機器（例えばテレビ装置）の受信機が受信し、当該電子機器の電源を自動的にオンすることができる。すなわち、ユーザは、リモコンによる電源ボタンの操作や、電子機器本体に設けられている電源スイッチの操作を行うことなく、リビングに入るだけで当該電子機器の電源を自動的にオンすることができる。また、リビングで例えばテレビを見ている状態で、用事によりリビングから出て行った場合には、テレビ装置の受信機が発信機からの一定の信号を受信しなくなるため、テレビ装置は電源をオフすることになる。これにより、テレビ装置の消し忘れ等を防止することができ、消費電力の無駄も省くことができるものである。
【発明を実施するための最良の形態】
【００１７】
以下、本発明の実施の形態について、図面を参照して説明する。
【００１８】
＜実施形態１＞
図１は、本発明に係る電子機器の電源制御システムをテレビ装置に適用した実施形態１に係る機能ブロック図である。
【００１９】
本実施形態１のテレビ装置１は、アンテナ２により受信されたデジタル放送の所定のチャンネルで放送された映像と音声を出力するものであり、制御部１１、リモコン受光回路１２、チューナ１４、表示制御回路１５、音声制御回路１６、モニタ（ディスプレイ）１７、スピーカ１８、タイマー回路１９、現在時刻を計時する時計部２０、各種データを記憶するメモリ部２１、後述する発信機４からの信号を受信する受信機２２、リモコン３、及びリモコン３とは別体として設けられた携帯可能な小型の発信機４によって構成されている。
【００２０】
制御部１１は、リモコン３から送信される各種指示に基づいてテレビ装置１の各部を制御する制御部である。具体的には、リモコン受光回路１２から、リモコン３の操作内容を示す信号が入力されると、その信号が示す操作内容に従ってチューナ１４の駆動制御を行い、所定のチャンネルの電波を受信するため、アンテナ２で受信されたデジタル放送電波の復調、分離、デコード等の各種処理を実行させる。
【００２１】
制御部１１は、チューナ１４における各種処理により解析されたデータをもとに、映像に係る映像データと音声に係る音声データとを生成し、映像データを表示制御回路１５へ出力し、音声データを音声制御回路１６へ出力する。
【００２２】
また、制御部１１は、リモコン３よりスピーカ１８から出力する音量についての音量出力指示が入力された場合には、この音量出力指示に従って音声制御回路１６を駆動制御し、音声制御回路１６に音量についての制御処理を実行させる。
【００２３】
リモコン受光回路１２は、リモコン３から赤外線通信手段により送信される操作信号を受信し、リモコン３における操作内容を示す信号を生成して制御部１１へ出力する。
【００２４】
チューナ１４は、アンテナ２で受信されたデジタル放送の電波を復調し、さらに分離、デコード等の各種処理を行って解析を行う。アンテナ２で受信されるデジタル放送電波は、放送局側においてエンコード、多重化及び変調等の各種処理を経て送信されているため、チューナ１４の解析によって、放送中の番組のデータが出力される。
【００２５】
表示制御回路１５は、チューナ１４から入力されたデータに基づき制御部１１によって生成された映像データをもとに、モニタ１７を駆動制御して、モニタ１７の表示画面上に映像を表示させる。また、表示制御回路１５は、ＯＳＤ（オンスクリーンディスプレイ）機能を有しており、各種メニュー画面やメッセージ画面をモニタ１７の表示画面上に表示させる。
【００２６】
音声制御回路１６は、チューナ１４から入力されたデータをもとに制御部１１によって生成された音声データに基づいてスピーカ１８を駆動し、音声を出力させる。
【００２７】
モニタ１７は、ブラウン管、ＬＣＤ（液晶表示装置）、プラズマディスプレイパネル、あるいはスクリーンとともに設置されたプロジェクター等を備えて構成され、表示制御回路１５によって駆動制御されることで表示画面上に各種映像及びＯＳＤ画面を表示する。
【００２８】
スピーカ１８は、音声制御回路１６によって駆動されて音声を出力する。タイマー回路１９は、後述するテレビ装置１の電源オン／オフに関する一定時間を計測するものである。時計部２０は、現在時刻を計時する。
【００２９】
メモリ部２１は、ＲＯＭ、ＲＡＭ、ＥＥＰＲＯＭ、フラッシュメモリ等の各種の揮発性及び不揮発性のメモリで構成されており、不揮発性メモリには、後述する現状設定音量や各種適音設定音量等のデータが記憶される。
【００３０】
リモコン３は、テレビ装置１が有するリモコン受光回路１２へ信号を送信してテレビ装置１を遠隔操作するための装置である。そのため、テレビ装置１の電源のオン／オフを行う電源ボタン３１、テレビ装置１が受信するチャンネルの切換を行う切換ボタン（テンキーやチャンネルアップダウンキー等）３２、及び音量の調節を行うボリュームボタン３３等を備えている。そして、これらのキーの操作時には、操作されたキーに対応する操作信号を生成してリモコン受光回路１２へ送信するようになっている。そのため、このリモコン３は、ＬＥＤやエンコーダを含む赤外線送信手段（図示省略）を備えており、この赤外線通信手段を用いてテレビ装置１に対して各種信号を送信する。
【００３１】
発信機４は、リモコン３の電源ボタン３１の機能のみを実現するものであり、一定の信号を一定の周期（例えば、１０ｍｓ等の時間間隔）で発信するだけの極めて単純な構成となっている。そのため、小型化が可能であり、ユーザが常時身につけていても邪魔になることはない。また、発信機４には、信号の発信のオン、オフをユーザが選択できるように、電源スイッチ（オン・オフスイッチ）４１が設けられている。
【００３２】
受信機２２は、発信機４からの一定周期の信号を受信し、受信信号の周波数をデジタル値に変換して制御部１１へ出力する。本実施形態１では、発信機４と受信機２２との通信は、携帯情報機器向けの無線通信技術であるブルーツゥース（Bluetooth）や、パソコンや家電製品などを結ぶＨｏｍｅＲＦ（Home Radio Frequency）といった微弱電波による通信を利用している。ただし、携帯情報機器や家庭内無線ＬＡＮ等との混信を避けるように周波数は設定されているものとする。
【００３３】
制御部１１は、テレビ装置１の電源オフ状態において、発信機４からの一定周期の信号を受信機２２で受信すると、テレビ装置１の電源をオンし、テレビ装置１の電源オン状態において、発信機４からの一定周期の信号を受信機２２で受信しなくなったとき、テレビ装置１の電源をオフするような電源オン／オフ制御を行うようになっている。つまり、発信機４からの信号を受信している間だけテレビ装置１の電源をオンするように制御する。
【００３４】
以下、本実施形態１のテレビ装置１における電源オン／オフ制御動作について、図２に示すフローチャートを参照して説明する。
【００３５】
制御部１１は、テレビ装置１の電源オフ状態及び電源オン状態に係わらず、受信機２２から一定周期の信号が入力されたか否かを常に監視している（ステップＳ１）。そして、受信機２２から一定周期の信号が入力された場合（ステップＳ１でＹｅｓと判断された場合）には、受信機２２が発信機４からの信号を受信したと判断し、その時点でテレビ装置１が電源オフ状態であるか否かを確認する（ステップＳ２）。その結果、オフ状態である場合（ステップＳ２でＹｅｓと判断された場合）には、制御部１１はテレビ装置１の電源をオンする（ステップＳ３）。一方、受信機２２から受信信号が入力された時点ですでにテレビ装置１がオン状態である場合（ステップＳ２でＮｏと判断された場合）には、制御部１１は、そのままオン状態を維持する（ステップＳ４）。
【００３６】
この後、制御部１１は、引き続き、受信機２２から一定周期の信号か入力され続けているか否かの監視を継続する（ステップＳ５）。そして、受信機２２から一定周期の信号が入力され続けている限り、上記ステップＳ３またはステップＳ４の状態を維持する。なお、この状態において、リモコン３の電源ボタン３１がオン／オフ操作された場合、制御部１１は、リモコン３の操作を優先してテレビ装置１の電源をオン／オフする。
【００３７】
一方、受信機２２から一定周期の信号が入力されなくなった場合（ステップＳ５でＹｅｓと判断された場合）には、受信機２２が発信機４からの一定周期の信号を受信しなくなったと判断し、制御部１１は、その時点でテレビ装置１が電源オン状態であるか否かを確認する（ステップＳ６）。その結果、オン状態である場合（ステップＳ６でＹｅｓと判断された場合）には、制御部１１はテレビ装置１の電源をオフする（ステップＳ７）。一方、受信機２２から一定周期の信号が入力されなくなった時点ですでにテレビ装置１がオフ状態である場合（ステップＳ６でＮｏと判断された場合）には、制御部１１はそのままオフ状態を維持する（ステップＳ８）。そして、ステップＳ１に戻って、受信機２２から再び一定周期の信号が入力されたか否かの監視を継続する。
【００３８】
本実施形態１のテレビ装置１は、このように構成したので、発信機４をユーザが身につけていることによって、例えば自宅に帰ってきたユーザがリビングに入るだけで、発信機４からの一定周期の信号をテレビ装置１の受信機２２が受信して、当該テレビ装置１の電源を自動的にオンすることが可能となる。すなわち、ユーザは、リモコン３による電源ボタン３１の操作や、テレビ装置本体に設けられている図示しない電源スイッチの操作を行うことなく、テレビ装置１の電源を自動的にオンすることができる。また、リビングでテレビを見ている状態で、用事によりリビングから出て行った場合には、テレビ装置１の受信機２２が発信機１からの一定周期の信号を受信しなくなるため、テレビ装置１は電源をオフすることになる。これにより、テレビ装置１の電源の消し忘れ等を防止することが可能となり、消費電力の無駄も省くことができるものである。
【００３９】
なお、ユーザによっては、この発信機４を使わず、リモコン３の操作によりテレビ装置１の電源オン／オフ制御を行いたい場合もあるので、このような場合には、発信機４に設けられている電源スイッチ４１を操作して発信機４の電源を予めオフ状態としておけばよい。
【００４０】
＜実施形態２＞
上記実施形態１では、ユーザが発信機４を単独で所持することを前提としているが、本実施形態２では、発信機４を携帯電話機５に内蔵して一体型としたものである。携帯電話機は、いつ着信があるか分からないため、ユーザは、自宅にいても携帯電話機を常に身近に置いているものである。つまり、自宅か外出先かに係わらず、携帯電話機は常に側においている（若しくは携帯している）のが一般的である。本実施形態２では、このような携帯電話機の使用状況に着目し、発信機４を携帯電話機５に内蔵させたものである。これにより、発信機４を別途所持する必要がないため、ユーザにとっては置き忘れや携帯忘れといったことがなくなる、といった利点がある。
【００４１】
図３は、本実施形態２の電源制御システムを同じくテレビ装置に適用した場合の機能ブロック図である。
【００４２】
本実施形態２のテレビ装置１と上記実施形態１のテレビ装置１との違いは、上記したように発信機４が携帯電話機５に内蔵されているか否かのみであり、その他の構成は上記実施形態１のものと同じであるので、ここでは機能ブロックの説明を省略する。
【００４３】
ここで、本実施形態２では、発信機４の発信信号と携帯電話機５の送受信時の信号との混信を避けるため、発信機４の発信周波数は、携帯電話機５の周波数帯とは異なる周波数に設定するのがよい。従って、この場合の発信機４によるテレビ装置１の電源オン／オフ制御は、上記実施形態１の場合と同様に行うことができる。
【００４４】
ただし、現実問題としては、お互いに干渉しない周波数帯に区分することは難しい場合もある。そのため、本実施形態２では、このような場合を考慮した電源オン／オフ制御を行っている。以下、本実施形態２における電源オン／オフ制御の実施例について説明する。
【実施例１】
【００４５】
本実施例１では、携帯電話機５は、電話機能による着信時及び発信時には、発信機４の発信周波数を常時発信時の発信周波数である第１発信周波数から若干異なる第２発信周波数に変更した後、発信を停止するように構成する。そして、携帯電話機５による着信終了時及び発信終了時に、発信機４から第１発信周波数による発信を再開するように構成する。これにより、携帯電話機５による通話や通信が発信機４の発信信号と干渉し、ノイズとなって通話や通信を妨げることを防止することができる。
【００４６】
一方、携帯電話機５に内蔵された発信機４をこのように構成した場合、テレビ装置１の制御部１１は、発信機４からの信号が第１発信周波数から第２発信周波数に変化した後、発信機４からの信号を受信しなくなった場合には、テレビ装置１の電源オン状態を維持するように構成する。つまり、この場合には、携帯電話機５での通話や通信等による発信機４のオフ状態であり、ユーザはその場所（例えば、テレビ装置の設置されているリビング）に居る可能性が高いので、このような場合には発信機４からの信号が途絶えても、テレビ装置１の電源をオフせず、オン状態のまま維持するものである。
【００４７】
以下、本実施例１の電源オン／オフ制御動作について、図４に示すフローチャートを参照して具体的に説明する。
【００４８】
制御部１１は、テレビ装置１の電源オフ状態及び電源オン状態に係わらず、受信機２２から一定周期の信号（第１発信周波数の信号）が入力されるか否かを常に監視している（ステップＳ１１）。そして、受信機２２から第１発信周波数の信号が入力された場合（ステップＳ１１でＹｅｓと判断された場合）には、受信機２２が、携帯電話機５に内蔵された発信機４からの信号を受信したと判断し、その時点でテレビ装置１が電源オフ状態であるか否かを確認する（ステップＳ１２）。その結果、オフ状態である場合（ステップＳ１２でＹｅｓと判断された場合）には、制御部１１はテレビ装置１の電源をオンする（ステップＳ１３）。一方、受信機２２から受信信号が入力された時点ですでにテレビ装置１がオン状態である場合（ステップＳ１２でＮｏと判断された場合）には、制御部１１は、そのままオン状態を維持する（ステップＳ１４）。
【００４９】
この後、制御部１１は、引き続き、受信機２２から第１発信周波数の信号か入力され続けているか否かの監視を継続する（ステップＳ１５）。そして、受信機２２から第１発信周波数の信号が入力されている限り、上記ステップＳ１３またはステップＳ１４の状態を維持する。なお、この状態において、リモコン３の電源ボタン３１がオン／オフ操作された場合、制御部１１は、リモコン３の操作を優先してテレビ装置１の電源をオン／オフする。
【００５０】
一方、受信機２２から受信信号が入力されなくなった場合（ステップＳ１５でＹｅｓと判断された場合）、制御部１１は、その前に受信機２２からの受信信号が第１発信周波数から第２発信周波数に変化したか否かを確認する（ステップＳ１６）。その結果、受信周波数が第１発信周波数から第２発信周波数に変化することなく、第１発信周波数のままで受信信号か入力されなくなった場合（ステップＳ１でＮｏと判断された場合）には、受信機２２が発信機４からの第１発信周波数の信号を受信しなくなったと判断し、制御部１１は、その時点でテレビ装置１が電源オン状態であるか否かを確認する（ステップＳ１７）。その結果、オン状態である場合（ステップＳ１７でＹｅｓと判断された場合）には、制御部１１はテレビ装置１の電源をオフする（ステップＳ１８）。一方、受信機２２から第１発信周波数の信号が入力されなくなった時点ですでにテレビ装置１がオフ状態である場合（ステップＳ１７でＮｏと判断された場合）には、制御部１１はそのままオフ状態を維持する（ステップＳ１９）。そして、ステップＳ１に戻って、受信機２２から第１発信周波数の信号が入力されるか否かの監視を継続する。
【００５１】
一方、受信機２２から受信信号が入力されなくなった状況が、受信機２２からの受信信号が第１発信周波数から第２発信周波数に変化した後、第２発信周波数の状態で受信信号が入力されなくなった場合（ステップＳ１５でＮｏ、ステップＳ１６でＹｅｓと判断した場合）には、制御部１１は、携帯電話機５での通話等による発信機４のオフ状態であると判断し、この場合にはテレビ装置１の電源をオフせず、オン状態を維持する（ステップＳ２０）。そして、ステップＳ１に戻って、受信機２２から第１発信周波数の信号が入力されるか否かの監視を継続する。
【００５２】
このように、本実施例１では、ユーザがテレビを見ながら携帯電話機５によって通話等を行っている場合には、テレビ装置１の電源をオフすることなく、発信機４の発信を停止するように構成したので、発信機４の発信信号によって携帯電話機５による通話等が妨げられる心配がなく、ユーザはテレビ装置１を視聴しながら良好な通信状態で会話等を楽しむことが可能となる。
【実施例２】
【００５３】
上記実施例１では、受信機２２から受信信号が入力されなくなった状況が、第１発信周波数から第２発信周波数に変化した後、第２発信周波数の状態で受信されなくなった場合には、テレビ装置１の電源オン状態を維持する構成としているが、単にこれだけの構成では、ユーザが携帯電話機５で会話をしながらリビング等から出て行った場合でも、テレビ装置１の電源がオン状態のままとなってしまう可能性がある。そこで、本実施例２では、このような不具合を解消する工夫を追加している。
【００５４】
具体的に説明すると、携帯電話機５は、電話機能による着信または発信を行うために、発信機４の発信周波数を第１発信周波数から第２発信周波数に変更した後、発信を停止した場合には、その停止から、電話機能による着信または発信を終了して発信機４から第１発信周波数による発信を再開するまでの間、一定の時間間隔（例えば、１０秒等）で第２発信周波数の信号を短時間だけ発信する処理を繰り返すように構成する。一方、テレビ装置１側では、この単発的な第２発信周波数の信号を一定の時間間隔で受信していることを確認することで、ユーザがテレビ装置１の近くにいるかどうかを確認し、その結果に基づいて電源のオン／オフ制御を行うように構成する。
【００５５】
以下、本実施例２の電源オン／オフ制御動作について、図５に示すフローチャートを参照して具体的に説明する。ただし、本実施例２の電源オン／オフ制御動作は、上記実施例１の電源オン／オフ制御動作が基本であり、異なるところはステップＳ２０からステップＳ１１に戻るルーチンの部分であるので、本実施例２では、この部分の処理動作についてのみ説明する。
【００５６】
すなわち、ステップＳ１６でＹｅｓと判断され、ステップＳ２０でテレビ装置１の電源オン状態を維持した状態において、制御部１１は、タイマー回路１９を起動して一定時間（例えば１０秒等）の計測を開始させる（ステップＳ３１）。そして、この一定時間に所定の余裕時間（例えば２秒等）を加算した１２秒が経過したか否か（ステップＳ３２）、及びこの１２秒の間に受信機２２から第２発信周波数の受信信号が入力されたか否か（ステップＳ３３）を監視する。
【００５７】
その結果、一定時間＋余裕時間（１２秒）の経過前に第２発信周波数の受信信号が入力された場合（ステップＳ３２でＮｏ、ステップＳ３３でＹｅｓと判断された場合）には、ユーザがまだリビングに居て通話中であると判断し、制御部１１は、テレビ装置１の電源オン状態を維持する（ステップＳ２０）。
【００５８】
一方、一定時間＋余裕時間（１２秒）が経過しても第２発信周波数の受信信号が入力されなかった場合（ステップＳ３２でＹｅｓと判断された場合）には、ユーザが携帯電話機５で通話状態のままリビングから出て行ったと判断し、制御部１１は、テレビ装置１の電源をオフして（ステップＳ３４）、ステップＳ１１に戻る。
【００５９】
このように、本実施例２では、ユーザが携帯電話機５で会話をしながらリビング等から出て行ったような場合には、少なくともその一定時間後（１２秒後）にはテレビ装置１の電源をオフすることができるので、誰も視聴していない状態でテレビ装置１がつけっぱなしになるといった状態を解消でき、消費電力の無駄を省くことが可能となる。
【００６０】
上記実施形態１及び実施形態２では、１個の発信機４によって制御される電子機器として１台のテレビ装置１を例示しているが、制御される電子機器は１台とは限らない。すなわち、制御される電子機器としては、上記で例示したテレビ装置１を初め、オーディオ装置、暖房装置、空調機、蛍光灯の少なくとも１つ以上であってもよい。
【００６１】
例えば、発信機４によって制御される電子機器をリビングのテレビ装置と蛍光灯の２種類とした場合には、発信機４または発信機４を内蔵した携帯電話機５を所持したユーザが、自宅に戻ってリビングに入ると、テレビ装置が自動的にオンするとともに、蛍光灯も自動的にオンして点灯することになる。これは、例えば一人暮らしのユーザにとっては、夜遅く帰宅したような場合に大変便利な使用形態である。また、冬場であれば、制御される電子機器として暖房装置も加えておけばよい。これにより、ユーザが冬場に夜遅く帰宅したような場合には、リビングに入るだけで、蛍光灯が点灯し、暖房装置がオンして部屋の暖房を開始し、テレビ装置がオンすることになる。
【図面の簡単な説明】
【００６２】
【図１】本発明の実施形態１に係るテレビ装置の全体構成の一例を示すブロック図である。
【図２】本実施形態１のテレビ装置による電源オン、オフ制御動作を示すフローチャートである。
【図３】本発明の実施形態２に係るテレビ装置の全体構成の一例を示すブロック図である。
【図４】本実施形態２のテレビ装置による実施例１の電源オン、オフ制御動作を示すフローチャートである。
【図５】本実施形態２のテレビ装置による実施例２の電源オン、オフ制御動作を示すフローチャートである。
【符号の説明】
【００６３】
１  テレビ装置
２  アンテナ
３  リモコン
４  発信機
１１  制御部
１２  リモコン受光回路
１４  チューナ
１５  表示制御回路
１６  音声制御回路
１７  モニタ
１８  スピーカ
１９  タイマー回路
２０  時計部
２１  メモリ部
２２  受信機  
３１  電源ボタン
３２  切換ボタン
４１  電源スイッチ
【図１】
2007214834.tif 000003
【図２】
2007214834.tif 000004
【図３】
2007214834.tif 000005
【図４】
2007214834.tif 000006
【図５】
2007214834.tif 000007